(57)【要約】【課題】簡易な構成で排紙台上に用紙を整然と積載できるようにする。【解決手段】サイドフェンス２０１ａ、２０１ｂの排出方向上流側端部には、排紙台５２の積載面に略垂直で且つ排出方向上流側がサイドフェンス２０１ａ、２０１ｂの内方に寄るように傾斜したガイド面５５ａを有する入り口ガイド部材５５が着脱自在に設けられている。ガイド面５５ａは、排出方向に向かって上り勾配となる上端縁を有している。排出された印刷用紙Ｓはガイド面５５ａの上端縁によってＵ字湾曲形状に保持され、そのままの状態でエンドフェンス２０３に衝突する。衝突後、印刷用紙Ｓは逆方向に戻ろうとするが、後端角部Ｓａ、Ｓｂがガイド面５５ａに当接してその移動を制限されるので、乱れることなく落下し、排紙台５２上に整然と積載される。【選択図】      図４
2004155551.tif 000002
【特許請求の範囲】
【請求項１】
排出されるシート状記録媒体が積載される排紙台と、該排紙台における上記シート状記録媒体の排出方向下流側に配置され該シート状記録媒体の先端が当接するエンドフェンスと、上記排紙台における上記シート状記録媒体の排出方向両側に配置された一対のサイドフェンスを有する排紙装置において、
上記各サイドフェンスの排出方向上流側端部に設けられ、上記排紙台の積載面に略垂直で且つ排出方向上流側が上記サイドフェンスの内方に寄るように傾斜したガイド面を有する入り口ガイド部材を備え、該入り口ガイド部材の上記ガイド面により上記シート状記録媒体の排出方向後端の角部の移動を制限しながら該シート状記録媒体を落下させることを特徴とする排紙装置。
【請求項２】
請求項１記載の排紙装置において、
上記各入り口ガイド部材のガイド面が、排出方向に向かって上り勾配となる上端縁を有していることを特徴とする排紙装置。
【請求項３】
請求項１又は２記載の排紙装置において、
上記入り口ガイド部材のガイド面は、上記シート状記録媒体が上記エンドフェンスに到達した際に上記角部が隙間無く近接するように設けられていることを特徴とする排紙装置。
【請求項４】
請求項１乃至３のうちの何れか１つに記載の排紙装置において、
上記入り口ガイド部材が上記サイドフェンスに対して着脱自在に設けられていることを特徴とする排紙装置。
【請求項５】
請求項４記載の排紙装置において、
上記入り口ガイド部材の着脱が、該入り口ガイド部材の弾性変形によるスナップフィット及びその解除の操作のみによりなされることを特徴とする排紙装置。
【請求項６】
請求項１乃至３のうちの何れか１つに記載の排紙装置において、
上記入り口ガイド部材が上記サイドフェンスに回動自在に設けられ、上記シート状記録媒体の種類に応じて上記ガイド面を排出に支障を来たさない位置に退避させることができることを特徴とする排紙装置。
【請求項７】
請求項６記載の排紙装置において、
上記入り口ガイド部材がその弾性変形によるスナップフィットにより、排出を案内する所定位置で上記サイドフェンスに位置固定されることを特徴とする排紙装置。
【請求項８】
請求項６又は７記載の排紙装置において、
上記入り口ガイド部材と上記サイドフェンスとが着脱自在に設けられ、互いのワンタッチ的係合操作のみにより回動軸部が形成される構造を有していることを特徴とする排紙装置。
【請求項９】
請求項４、５又は８記載の排紙装置において、
上記入り口ガイド部材が、上記一対のサイドフェンスに対して共用可能な形状を有していることを特徴とする排紙装置。
【請求項１０】
請求項１乃至３のうちの何れか１つに記載の排紙装置において、
上記入り口ガイド部材が上記サイドフェンスと一体成形されていることを特徴とする排紙装置。
【請求項１１】
画像形成済みのシート状記録媒体を排出・積載する排紙装置を有する画像形成装置において、
上記排紙装置が請求項１乃至１０のうちの何れか１つに記載のものであることを特徴とする画像形成装置。
【発明の詳細な説明】
【０００１】
【発明の属する技術分野】
本発明は、孔版印刷装置や複写機等の画像形成装置及びこれに用いられる排紙装置に関する。
【０００２】
【従来の技術】
一般に、この種の排紙装置は、画像形成装置本体の側面外部に突出状態に取り付けられており、装置本体の排紙搬送手段により排出される画像形成済みの用紙（シート状記録媒体）を飛翔させて排紙台上に落下させて積載する、いわゆるシュートデリバリー方式が採用されている。
用紙の排出方向先端位置を規制するために、排紙台の排出方向下流側には用紙の先端が突き当たるエンドフェンスが設けられている。また、用紙の排出方向両側位置（左右位置）を規制するために、排紙台には一対のサイドフェンスが設けられている。
このようなシュートデリバリー方式では、用紙の飛翔状態が乱れ易く、搬送位置（排出位置）、搬送方向（排出方向）が一定しない欠点を有している。その理由は、空気の抵抗により用紙先端が捲れ易く、且つ、一旦飛翔方向先端部の形状が崩れると空気の抵抗を強く受け、飛翔エネルギーを失うからである。
【０００３】
このため、用紙飛翔時の搬送方向（排出方向）に直交する断面形状をＵ字状に湾曲させて保持し、見かけ上の搬送方向の剛性を高め、すなわち腰付けをして飛翔形状を維持し、搬送位置、搬送方向の一定性を向上させる試みが数多くなされてきた。
例えば特開平６−２３９００１号公報には、吸着搬送ユニットの両側に搬送方向下流側が高くなる傾斜面を設け、装置本体からの排出時に用紙にＵ字湾曲形状を与える構成が記載されている。特公平８−２９８７８号公報や実用新案第２５５１８７５号公報には、排紙台の入り口近傍に針金様の素材で形成された弾性ガイド部材を設け、排紙台入り口にて用紙にＵ字湾曲形状を与える構成が記載されている。
このような構成によれば、搬送方向における用紙の腰付けを行うことができ、エンドフェンスに当接するまでの用紙の飛翔を安定させることができる。すなわち、エンドフェンスまでの飛翔エネルギーを保持することができる。
【０００４】
しかしながら、上述のような構成においては、飛翔する用紙がエンドフェンスに衝突した後、その反力により用紙が搬送方向とは逆方向に跳ね返ることを防止することができなかった。
跳ね返りを防止するためには、エンドフェンスに用紙先端が当接した瞬間に用紙の飛翔エネルギーを吸収し、以後用紙の自重により排紙台の積載面又は排紙台に積載された用紙上に略垂直に落下させることが必要である。
特開平９−１０００５７号公報や特開平１１−１８９３６４号公報には、排紙台の入り口側に上端部を回動可能に支持された揺動フェンスを設け、該揺動フェンスにより用紙の跳ね返りを吸収しながら落下させる構成が記載されている。
【０００５】
【特許文献１】
特開昭５８−４６４２８号公報
【特許文献２】
実公平７−４３０８５号公報
【特許文献３】
特公平８−２９８７８号公報
【特許文献４】
特許第２５５１８７５号公報
【特許文献５】
実用新案第２５５２４６４号公報
【特許文献６】
特開平６−２３９００１号公報
【特許文献７】
特開平９−１０００５７号公報
【特許文献８】
特開平９−１９４１１３号公報
【特許文献９】
特開平１１−１８９３６４号公報
【０００６】
【発明が解決しようとする課題】
特開平９−１０００５７号公報や特開平１１−１８９３６４号公報に記載された構成では、用紙の跳ね返りを防止することができるが、揺動構成が複雑で製造コストの増大を避けられなかった。
また、厚紙のように元々紙自体の腰が強くＵ字形状の湾曲形状付与が困難であり、且つ自重が重いためにエンドフェンスに衝突しても跳ね返り難い用紙の場合には、従来の排紙案内部材は用紙搬送の負荷になるのみであり、逆に排紙ジャムの要因ともなっていた。
排紙案内部材を上述のように針金様の弾性体で簡易に形成したとしても、両者の剛性を考慮すれば針金部材が変形して用紙負荷を軽減することは期待できず、排紙ジャムの要因となる点では実質的に変わりはなかった。
【０００７】
本発明は、簡易な構成でエンドフェンスからの用紙の跳ね返りを防止できて排紙台上に用紙を整然と積載でき、あるいはエンドフェンスに当接するまでの飛翔エネルギーの損失をも防止できる排紙装置及びこれを備えた画像形成装置の提供を、その目的とする。
本発明の他の目的は、製造コストの低減を図れる排紙装置及びこれを備えた画像形成装置の提供にある。
【０００８】
【課題を解決するための手段】
上記目的を達成するために、請求項１記載の発明では、排出されるシート状記録媒体が積載される排紙台と、該排紙台における上記シート状記録媒体の排出方向下流側に配置され該シート状記録媒体の先端が当接するエンドフェンスと、上記排紙台における上記シート状記録媒体の排出方向両側に配置された一対のサイドフェンスを有する排紙装置において、上記各サイドフェンスの排出方向上流側端部に設けられ、上記排紙台の積載面に略垂直で且つ排出方向上流側が上記サイドフェンスの内方に寄るように傾斜したガイド面を有する入り口ガイド部材を備え、該入り口ガイド部材の上記ガイド面により上記シート状記録媒体の排出方向後端の角部の移動を制限しながら該シート状記録媒体を落下させる、という構成を採っている。
【０００９】
請求項２記載の発明では、請求項１記載の排紙装置において、上記各入り口ガイド部材のガイド面が、排出方向に向かって上り勾配となる上端縁を有している、という構成を採っている。
【００１０】
請求項３記載の発明では、請求項１又は２記載の排紙装置において、上記入り口ガイド部材のガイド面は、上記シート状記録媒体が上記エンドフェンスに到達した際に上記角部が隙間無く近接するように設けられている、という構成を採っている。
【００１１】
請求項４記載の発明では、請求項１乃至３のうちの何れか１つに記載の排紙装置において、上記入り口ガイド部材が上記サイドフェンスに対して着脱自在に設けられている、という構成を採っている。
【００１２】
請求項５記載の発明では、請求項４記載の排紙装置において、上記入り口ガイド部材の着脱が、該入り口ガイド部材の弾性変形によるスナップフィット及びその解除の操作のみによりなされる、という構成を採っている。
【００１３】
請求項６記載の発明では、請求項１乃至３のうちの何れか１つに記載の排紙装置において、上記入り口ガイド部材が上記サイドフェンスに回動自在に設けられ、上記シート状記録媒体の種類に応じて上記ガイド面を排出に支障を来たさない位置に退避させることができる、という構成を採っている。
【００１４】
請求項７記載の発明では、請求項６記載の排紙装置において、上記入り口ガイド部材がその弾性変形によるスナップフィットにより、排出を案内する所定位置で上記サイドフェンスに位置固定される、という構成を採っている。
【００１５】
請求項８記載の発明では、請求項６又は７記載の排紙装置において、上記入り口ガイド部材と上記サイドフェンスとが着脱自在に設けられ、互いのワンタッチ的係合操作のみにより回動軸部が形成される構造を有している、という構成を採っている。
【００１６】
請求項９記載の発明では、請求項４、５又は８記載の排紙装置において、上記入り口ガイド部材が、上記一対のサイドフェンスに対して共用可能な形状を有している、という構成を採っている。
【００１７】
請求項１０記載の発明では、請求項１乃至３のうちの何れか１つに記載の排紙装置において、上記入り口ガイド部材が上記サイドフェンスと一体成形されている、という構成を採っている。
【００１８】
請求項１１記載の発明では、画像形成済みのシート状記録媒体を排出・積載する排紙装置を有する画像形成装置において、上記排紙装置が請求項１乃至１０のうちの何れか１つに記載のものである、という構成を採っている。
【００１９】
【発明の実施の形態】
以下、本発明の第１の実施形態を図１乃至図４に基づいて説明する。
まず、図１に基づいて、画像形成装置としての孔版印刷装置の構成及び動作の概要を説明する。孔版印刷装置１は、印刷部２０、製版部１０、給紙部５、排版部３０、排紙部４１０から主に構成されており、装置本体の左側面には排紙装置５２０が取り付けられている。
製版時には排版部３０によって、印刷部２０に設けられた版胴２上に巻装されている使用済みのマスタが剥離・回収され、画像読み取り部１００で読み取られた画像データに基づいて製版部１０においてマスタ１１が製版され、版胴２の外周面に巻装される。
【００２０】
印刷時には、回転駆動される版胴２に対して給紙部５からシート状記録媒体としての印刷用紙Ｓが同期をとって給送され、プレスローラ４により印刷用紙Ｓが版胴２に押し付けられる。このプレスローラ４の押圧動作により版胴２上のマスタを介してインキが印刷用紙Ｓに転写される。
インキが転写された印刷済み（画像形成済み）の印刷用紙Ｓは、排紙部４１０において、吸引ファン４６による吸引力で搬送ベルト４４に吸着されながら搬送され、排紙装置５２０に排出される。搬送ベルト４４の両側には、印刷用紙ＳにＵ字湾曲形状を付与する傾斜板４５が設けられている。
排紙装置５２０は、排紙台５２と、該排紙台５２における印刷用紙Ｓの排出方向下流側に配置され印刷用紙Ｓの先端が当接するエンドフェンス２０３と、上記排紙台５２における印刷用紙Ｓの排出方向両側に配置された一対のサイドフェンス２０１ａ、２０１ｂを有している。
【００２１】
図２に示すように、サイドフェンス２０１ｂは、外側をくり抜いた箱状に合成樹脂で一体成形されており、印刷用紙Ｓの排出方向に間隔をおいて縦長の透孔２０１ｂ−１が複数形成されている。これらの透孔２０１ｂ−１は、印刷用紙Ｓが落下するときの空気を外部へ逃がす機能を有しているとともに、サイドフェンス２０１ｂの軽量化に寄与している。サイドフェンス２０１ｂの下端内方には、排紙台５２の積載面に積載される印刷用紙Ｓを下方に凸のＵ字状に保持するための斜面２０１ｂ−２が形成されている。
サイドフェンス２０１ｂの下端中央部には、印刷用紙Ｓの排出方向と直交する方向に延びるレール５３を移動するスライダ５４が固定されている。サイドフェンス２０１ａも同様の構成を有しており、対応する符号を付して説明は省略する。
このように、サイドフェンス２０１ａ、２０１ｂは印刷用紙Ｓのサイズに応じて位置調整可能となっている。エンドフェンス２０３も同様の排出方向への位置調整構成を有している。
【００２２】
サイドフェンス２０１ａ、２０１ｂの排出方向上流側端部にはそれぞれ入り口ガイド部材５５が設けられている。
本実施形態における入り口ガイド部材５５は、図３に示すように、板金部材で形成されており、排紙台５２の積載面に略垂直で且つ排出方向上流側がサイドフェンス２０１ａの内方に寄るように傾斜したガイド面５５ａと、サイドフェンス２０１ａに対する平板状の係合本体部５５ｂと、該係合本体部５５ｂから略垂直に折り曲げられ、サイドフェンス２０１ａの上端に乗せて係合される位置決め片５５ｃと、サイドフェンス２０１ａの透孔２０１ａ−１の内部側面を抱き込むように係合される断面コ字状の側部係合片５５ｄと、サイドフェンス２０１ａのくり抜き形状に対応する間隔保持片５５ｅ、５５ｆと、ガイド面５５ａと係合本体部５５ｂの境界部分を打ち抜いてＬ字状に折り曲げられた弾性係合部５５ｇを有している。
【００２３】
入り口ガイド部材５５は、中心線Ｌに対して略対称となるように形成されており、ガイド面５５ａは二等辺三角形をなしている。すなわち、入り口ガイド部材５５は左右のサイドフェンス２０１ａ、２０１ｂに対していずれに対しても使用可能（共用可）となっている。
係合本体部５５ｂはサイドフェンス２０１ａ、２０１ｂに対して略平行となる面であり、ガイド面５５ａはその先端部がサイドフェンス２０１ａ、２０１ｂの内方に寄るように係合本体部５５ｂから内側へ曲げられている。ガイド面５５ａは、印刷用紙Ｓの排出方向に向かって上り勾配となる上端縁（稜線）５５ａ―１を有している。
【００２４】
入り口ガイド部材５５のサイドフェンス２０１ａへの取り付けは、位置決め片５５ｃと側部係合片５５ｄを係合した状態で、サイドフェンス２０１ａの印刷用紙Ｓの排出方向上流側垂直縁に弾性係合部５５ｇが圧接するように押し込むことによりスナップフィットし、完了する。すなわち、ネジ等の部材を一切用いずにワンタッチ的操作で容易に取り付けられるようになっている。もちろん、取り外しも引き抜くだけであり、同様に容易である。
上記では入り口ガイド部材５５をサイドフェンス２０１ａに取り付ける場合を説明したが、同一の入り口ガイド部材５５を反対側のサイドフェンス２０１ｂに取り付ける場合には、入り口ガイド部材５５を反転させて同様に取り付ければよい。
この場合、サイドフェンス２０１ａに対する間隔保持片５５ｆがサイドフェンス２０１ｂに対する位置決め片となり、位置決め片５５ｃは間隔保持片となる。また、サイドフェンス２０１ｂに対する取り付けにおいては、ガイド面５５ａの反対側の符号５５ａ―２で示す稜線が印刷用紙Ｓを案内する上端縁となる。
【００２５】
次に、図４に基づいて排紙装置５２０による印刷用紙Ｓの排紙・積載機能を説明する。孔版印刷装置１の排紙部４１０における傾斜板４５でＵ字湾曲形状の腰付けをされた印刷済みの印刷用紙Ｓは搬送ベルト４４により、一対のサイドフェンス２０１ａ、２０１ｂとエンドフェンス２０３に三方を囲まれる排紙台５２の矩形空間に排出される。
排紙台５２の積載面には、各用紙サイズに合わせてサイドフェンス２０１ａ、２０１ｂとエンドフェンス２０３を位置決めするための目印が設けられており、この目印に応じてサイドフェンス２０１ａ、２０１ｂ及びエンドフェンス２０３を手動操作により設定すると、印刷用紙Ｓの先端がエンドフェンス２０３に当接したとき、印刷用紙Ｓの排出方向後端の両角部Ｓａ、Ｓｂが入り口ガイド部材５５のガイド面５５ａに近接して位置するように、ガイド面５５ａの水平面での角度θが設定されている。
【００２６】
サイドフェンス２０１ａ、２０１ｂ間の間隔は、各用紙の全幅より適宜小さくなるように設定されており、印刷用紙ＳがＵ字状に腰付けされた形状のまま排紙台５２上に積載されるようになっている。
孔版印刷装置１の排紙部４１０よりＵ字湾曲形状に腰付けされて排出されてきた印刷用紙Ｓは、排紙台５２上に到達すると、入り口ガイド部材５５のガイド面５５ａの上端縁５５ａ―１、５５ａ―２にその先端から接触を始める。用紙裏面両側部が用紙排出方向に向かい上り勾配となっている上端縁５５ａ―１、５５ａ―２に支持されるため、印刷用紙Ｓは下方に凸のＵ字形状を保持し、先端部が下方に垂れ下がることなく飛翔する。
【００２７】
印刷用紙Ｓの先端が入り口ガイド部材５５のガイド面５５ａを離脱した後も、印刷用紙Ｓの後方がガイド面５５ａの上端縁５５ａ―１、５５ａ―２によってＵ字形状を保持していることと、一対のサイドフェンス２０１ａ、２０１ｂの間隔が用紙全幅より若干狭く設定されていることとが相まって、印刷用紙Ｓの先端がエンドフェンス２０３に達するまでＵ字形状が保持される。これにより、印刷用紙Ｓの飛翔状態は常に乱れることなく安定している。
印刷用紙Ｓの先端がエンドフェンス２０３に衝突すると、その反力で印刷用紙Ｓは排出方向とは逆方向に移動し始めるが、印刷用紙Ｓの後端の近傍には入り口ガイド部材５５のガイド面５５ａが位置するため、即座に印刷用紙Ｓの後端がこのガイド面５５ａに当接し、印刷用紙Ｓの跳ね返りは阻止される。
印刷用紙Ｓの飛翔エネルギーは、エンドフェンス２０３とガイド面５５ａへの用紙前後端の衝突、又はこの衝突の繰り返しにより失われ、然る後に自重によりサイドフェンス２０１ａ、２０１ｂ間を略垂直に落下していく。従って、排紙台５２上の印刷用紙Ｓは、前後、左右方向共乱れることなく整然と積載される。
【００２８】
入り口ガイド部材５５のガイド面５５ａは平板で形成されており、一連に連なった面を有しているので、印刷用紙Ｓは略垂直の落下過程全体に亘ってガイド面５５ａによる跳ね返り制限作用を受ける。
ガイド面５５ａの面性状は必ずしも一連に連なった面に限定される趣旨ではなく、印刷用紙Ｓの落下過程において上記跳ね返り制限作用を維持できるものであれば、メッシュ状等でもよい。また、入り口ガイド部材５５は板金部材で形成したが、合成樹脂等で形成してもよい。
【００２９】
厚紙のように用紙自体の剛性が高い印刷用紙Ｓを用いる場合には、上述のように、入り口ガイド部材５５により強制的に腰付けをしようとしても腰付けはなされ難く、用紙の排出負荷が増えるのみで却って排紙ジャムの原因となり得る。このため、厚紙通紙時には、入り口ガイド部材５５はサイドフェンス２０１ａ、２０１ｂから取り外される。
本実施形態ではサイドフェンス２０１ａ、２０１ｂ及びエンドフェンス２０３を手動操作により位置調整する構成としたが、印刷用紙Ｓのサイズ情報に基づいて自動的に調整する構成としてもよい。
この場合、サイドフェンス２０１ａ、２０１ｂについては、スライダ５４、５４は、排紙台５２の下面側に設けられた図示しない移動機構により同期移動する。移動機構は、例えばステッピングモータとその回転軸に固定されたピニオン及びこれに噛み合う一対のラックを有する周知の構成を採用でき、図示しない制御手段によるステッピングモータの制御により印刷用紙Ｓのサイズに応じて自動的に位置調整される。
【００３０】
上記実施形態では入り口ガイド部材５５をサイドフェンス２０１ａ、２０１ｂに対して着脱する構成としたが、業種や地域あるいは国別によっては薄紙のみが使用され、且つ装置コストの低減が求められる市場が存在する。
このような場合には、厚紙使用時の入り口ガイド部材５５の取り外しが不要であり、着脱構成のメリットが得られず且つ製造コストの上昇につながるので、入り口ガイド部材５５（厳密にはガイド面５５ａ）をサイドフェンス２０１ａ、２０１ｂと一体成形すればよい（第２の実施形態）。
【００３１】
次に、図５に基づいて第３の実施形態を説明する。なお、第１の実施形態と同一部分は同一符号で示し、特に必要がない限り既にした構成上及び機能上の説明は省略して要部のみ説明する（以下の他の実施形態において同じ）。本実施形態では厚紙使用時における入り口ガイド部材５５の取り外しの面倒さを軽減することを目的としている。
本実施形態における入り口ガイド部材５５Ａでは、係合本体部５５ｂに一体に回動軸５５ｈが設けられており、これに対応してサイドフェンス２０１ｂには回動軸５５ｈを係合するための係合孔２０１ｂ−３、２０１ｂ−４が形成されている。係合孔２０１ｂ−３はサイドフェンス２０１ｂの上端に形成されており、係合孔２０１ｂ−４はサイドフェンス２０１ｂの外側面に一体に形成された水平凸片２０１ｂ−５に形成されている。
【００３２】
まず、回動軸５５ｈの上端部を係合孔２０１ｂ−３に挿入した後、下げて下端部を係合孔２０１ｂ−４に挿入し、下端部の係止によって位置決めする。この係止状態でガイド面５５ａを矢印Ａ方向（内方向）に回動すると、弾性係合部５５ｇがサイドフェンス２０１ｂの排出方向上流側垂直縁に圧接してスナップフィットし、位置固定される。
厚紙使用時は、ガイド面５５ａを矢印Ｂ方向（外方向）に押し、弾性係合部５５ｇのフィット状態を解除し、二点鎖線で示す位置（印刷用紙Ｓの排出に支障を来たさない位置）に退避させる。サイドフェンス２０１ａ側においても同様である。本実施形態においても第１の実施形態と同様にワンタッチ的操作で入り口ガイド部材５５Ａの着脱を容易に行うことができ、ネジ等で固定する場合に比べて組み立てが容易となる。
本実施形態によれば、入り口ガイド部材５５Ａをサイドフェンス２０１ａ、２０１ｂから分離する必要がないので、取り外した後の収納スペースの確保や部品管理の面倒さを要しない利点を有している。
【００３３】
図６に示すように、サイドフェンス２０１ｂの外側面に弾性変形により開口部が拡がる受け部２０１ｂ−５を上下方向に一対形成し、これに回動軸５５ｈを押し込んで支持し、回動軸部を構成するようにしてもよい（第４の実施形態）。サイドフェンス２０１ａ側においても同様の構成である。
サイドフェンス２０１ａ、２０１ｂ側に軸を形成し、入り口ガイド部材５５Ａの係合本体部５５ｂに該軸にスナップフィットする受け部を形成する構成としてもよい。また、入り口ガイド部材５５Ａの回動構成は、上述のピボット方式ではなく回動軸を蝶番で支持する構成としてもよい。
【００３４】
【発明の効果】
請求項１又は１１記載の発明によれば、排出されるシート状記録媒体が積載される排紙台と、該排紙台における上記シート状記録媒体の排出方向下流側に配置され該シート状記録媒体の先端が当接するエンドフェンスと、上記排紙台における上記シート状記録媒体の排出方向両側に配置された一対のサイドフェンスを有する排紙装置において、上記各サイドフェンスの排出方向上流側端部に設けられ、上記排紙台の積載面に略垂直で且つ排出方向上流側が上記サイドフェンスの内方に寄るように傾斜したガイド面を有する入り口ガイド部材を備え、該入り口ガイド部材の上記ガイド面により上記シート状記録媒体の排出方向後端の角部の移動を制限しながら該シート状記録媒体を落下させる構成としたので、シート状記録媒体の跳ね返りを防止でき、排紙台上に整然と積載することができる。
【００３５】
請求項２又は１１記載の発明によれば、請求項１記載の排紙装置において、上記各入り口ガイド部材のガイド面が、排出方向に向かって上り勾配となる上端縁を有している構成としたので、シート状記録媒体の先端がエンドフェンスに突き当たるまでシート状記録媒体の飛翔状態を乱すことなく維持できる。
【００３６】
請求項３又は１１記載の発明によれば、請求項１又は２記載の排紙装置において、上記入り口ガイド部材のガイド面は、上記シート状記録媒体が上記エンドフェンスに到達した際に上記角部が隙間無く近接するように設けられている構成としたので、シート状記録媒体の跳ね返りを高精度に防止でき、排紙台上での整然性を一層向上させることができる。
【００３７】
請求項４又は１１記載の発明によれば、請求項１乃至３のうちの何れか１つに記載の排紙装置において、上記入り口ガイド部材が上記サイドフェンスに対して着脱自在に設けられている構成としたので、厚紙使用時等の不必要時には取り外すことができ、無用な排出負荷による排紙ジャムの発生を防止できる。
【００３８】
請求項５又は１１記載の発明によれば、請求項４記載の排紙装置において、上記入り口ガイド部材の着脱が、該入り口ガイド部材の弾性変形によるスナップフィット及びその解除の操作のみによりなされる構成としたので、着脱作業の容易性を向上させることができる。
【００３９】
請求項６又は１１記載の発明によれば、請求項１乃至３のうちの何れか１つに記載の排紙装置において、上記入り口ガイド部材が上記サイドフェンスに回動自在に設けられ、上記シート状記録媒体の種類に応じて上記ガイド面を排出に支障を来たさない位置に退避させることができる構成としたので、不必要時に取り外す面倒を無くすことができ、取り扱い性、使用性の向上を図ることができる。
【００４０】
請求項７又は１１記載の発明によれば、請求項６記載の排紙装置において、上記入り口ガイド部材がその弾性変形によるスナップフィットにより、排出を案内する所定位置で上記サイドフェンスに位置固定される構成としたので、取り扱い性、使用性の向上をさらに高めることができる。
【００４１】
請求項８又は１１記載の発明によれば、請求項６又は７記載の排紙装置において、上記入り口ガイド部材と上記サイドフェンスとが着脱自在に設けられ、互いのワンタッチ的係合操作のみにより回動軸部が形成される構造を有している構成としたので、製造過程における組み立ての容易化を図ることができる。
【００４２】
請求項９又は１１記載の発明によれば、請求項４、５又は８記載の排紙装置において、上記入り口ガイド部材が、上記一対のサイドフェンスに対して共用可能な形状を有している構成としたので、金型等の一元化により製造コストの低減を図ることができる。
【００４３】
請求項１０又は１１記載の発明によれば、請求項１乃至３のうちの何れか１つに記載の排紙装置において、上記入り口ガイド部材が上記サイドフェンスと一体成形されている構成としたので、ユーザーの使用状況に合わせて、入り口ガイド部材とサイドフェンスをモールド成形や射出成形等により一体成形して部品点数を少なくすることができ、製造コストを低減できる。
【図面の簡単な説明】
【図１】本発明の第１の実施形態における画像形成装置としての孔版印刷装置の概要正面図である。
【図２】排紙装置の概要斜視図である。
【図３】入り口ガイド部材の内側から見た斜視図である。
【図４】排紙装置における印刷用紙の排出状態を示す図で、（ａ）は概要平面図、（ｂ）は概要側面図である。
【図５】第３の実施形態における入り口ガイド部材の取り付け状態を示す要部斜視図である。
【図６】第４の実施形態における回動軸部の構成を示す要部斜視図である。
【符号の説明】
５２  排紙台
５５  入り口ガイド部材
５５ａ  ガイド面
５５ａ―１、５５ａ―２  上端縁
２０１ａ、２０１ｂ  サイドフェンス
２０３  エンドフェンス
Ｓ  シート状記録媒体としての印刷用紙
Ｓａ、Ｓｂ  角部
【図１】
2004155551.tif 000003
【図２】
2004155551.tif 000004
【図３】
2004155551.tif 000005
【図４】
2004155551.tif 000006
【図５】
2004155551.tif 000007
【図６】
2004155551.tif 000008